(57)【要約】【課題】効率的な仕方で電子コンポーネントを整列させる。【解決手段】本発明のある例示的な実施形態によれば、電子コンポーネントを整列させるための整列固定具が提供される。ここで、本整列固定具は、第一の当接部および第二の当接部を有する、前記電子コンポーネントを受け入れるよう適応されたレセプタクルを有する。本整列固定具はさらに、第一の弾性ユニットおよび第二の弾性ユニットを有する。ここで、第一の当接部は第一の弾性ユニットを介してフレキシブルに取り付けられ、第二の当接部は第二の弾性ユニットを介してフレキシブルに取り付けられ、第一の当接部および第二の当接部は一緒になって電子コンポーネントと浮動的に係合するよう適応されている。【選択図】図１
2011039059.tif 000002
【特許請求の範囲】
【請求項１】
電子コンポーネントを整列させるよう適応された整列固定具であって：
第一の当接部および第二の当接部を有する、前記電子コンポーネントを受け入れるよう適応されたレセプタクルと；
第一の弾性ユニットと；
第二の弾性ユニットとを有し、
前記第一の当接部は前記第一の弾性ユニットを介してフレキシブルに取り付けられ、前記第二の当接部は前記第二の弾性ユニットを介してフレキシブルに取り付けられ、
前記第一の当接部および前記第二の当接部は一緒になって前記電子コンポーネントと浮動的に係合するよう適応されている、
整列固定具。
【請求項２】
請求項１記載の整列固定具であって、
前記電子コンポーネントに対して、前記第一の当接部は第一の力をはたらかせるよう適応され、前記第二の当接部は第二の力をはたらかせるよう適応され、
前記第一の力および前記第二の力は少なくとも部分的に互いに反対方向である、整列固定具。
【請求項３】
前記第一の当接部および前記第二の当接部は、前記第一の力が前記レセプタクルの主平面に平行にはたらかされ、前記第二の力が前記レセプタクルの前記主平面に平行にはたらかされるよう適応されている、請求項２記載の整列固定具。
【請求項４】
前記レセプタクルはさらに、前記レセプタクルの主平面に平行な支持面をなすベース支持部を有する、請求項１ないし３のうちいずれか一項記載の整列固定具。
【請求項５】
請求項２および４記載の整列固定具であって、
前記ベース支持部が前記第一の力と垂直に、かつ前記第二の力と垂直に支持力をはたらかせるよう適応されている、整列固定具。
【請求項６】
請求項１ないし５のうちいずれか一項記載の整列固定具であって、
前記フレキシブルに取り付けられている第一の当接部および第二の当接部が前記レセプタクルの主平面に平行な動きを実行するよう適応される、整列固定具。
【請求項７】
前記第一の弾性ユニットの下および前記第二の弾性ユニットの下に配置されるベース支持板を有する、請求項１ないし５のうちいずれか一項記載の整列固定具であって、
前記第一の弾性ユニットおよび前記第二の弾性ユニットが、前記ベース支持板によって少なくとも部分的に支持されて前記レセプタクルの主平面に平行な動きを実行するよう適応される、整列固定具。
【請求項８】
ベース支持板および受け入れ板を有する請求項１ないし６のうちいずれか一項記載の整列固定具であって、前記ベース支持板と前記受け入れ板の間に前記第一の弾性ユニットおよび前記第二の弾性ユニットが配置され、
前記第一の弾性ユニットおよび前記第二の弾性ユニットが、前記ベース支持板および前記受け入れ板によって少なくとも部分的に案内されて前記レセプタクルの主平面に平行な動きを実行するよう適応される、整列固定具。
【請求項９】
当該整列固定具の厚さを調整するために適応された少なくとも一つの厚さ調整板を有する、請求項１ないし８のうちいずれか一項記載の整列固定具。
【請求項１０】
請求項１ないし９のうちいずれか一項記載の整列固定具を複数個有する、複数の電子コンポーネントを整列させるための担体。
【請求項１１】
各レセプタクルが少なくとも一つの割り当てられた弾性ユニットおよび少なくとも一つの割り当てられた第二の弾性ユニットを有する、請求項１０記載の担体。
【請求項１２】
少なくとも一つの第一の弾性ユニットおよび少なくとも一つの第二の弾性ユニットが前記レセプタクルの複数個に割り当てられる、請求項１０または１１記載の担体。
【請求項１３】
請求項１０または１２のうちいずれか一項に記載の担体を使う方法であって：
・クランプ機構を操作して、受け入れられるべき電子コンポーネントより大きなレセプタクル内の開口を露わにする段階と；
・電子コンポーネントをレセプタクル内の開口内に位置させる段階と；
・前記クランプ機構を操作して、電子コンポーネントが前記担体のレセプタクル内で整列されるよう開口のサイズを小さくする段階とを有する、
方法。
【請求項１４】
請求項１３記載の方法であって：
・前記電子コンポーネントを後処理機械内に位置させる段階と；
・前記電子コンポーネントが前記担体のレセプタクル内に整列された位置に維持されている間に、前記電子コンポーネントを前記後処理機械の後処理操作にかける段階とを有する、
方法。
【請求項１５】
請求項１３または１４記載の方法であって：
・前記クランプ機構によって前記電子コンポーネントの側部のみで前記電子コンポーネントを弾性的にクランプする段階を含む、
方法。
【発明の詳細な説明】
【技術分野】
【０００１】
本発明は、電子コンポーネントを整列させるための整列固定具（align  fixture）に関する。
【０００２】
さらに、本発明は担体（carrier）に関する。
【０００３】
これに加えて、本発明は前記担体を使用する方法に関する。
【背景技術】
【０００４】
集積回路は通例、半導体ウェーハ上に製作される。集積回路は多様な用途をもち、さまざまな電子装置に見出すことができる。作られる目的に応じて、集積回路および抵抗器、キャパシタンスおよびインダクタンスといった他の電子コンポーネントは、アセンブルされる前にパッケージングされ、マークされ、試験される。たとえば、MEMS（micro  electro  mechanical  system［微小電気機械システム］）コンポーネントは、所与の温度、圧力、傾斜角および種々の型の加速のもとで試験される。よって、電子コンポーネントの完全な製造は、純粋な製作の諸工程と、電子コンポーネントの接点パターンを仕上げた後の工程とに分けられる。電子コンポーネントを扱う二つの型の機械がある。切り離された電子コンポーネントを扱ういわゆる「重力ハンドラ（Gravity  handler）」およびいわゆるストリップを扱う「ストリップ・ハンドラ（Strip  handler）」である。
【０００５】
米国特許出願公開US2003/0017629A1は、試験操作の間、切り離された電子デバイスを支持する、本体および支持部材を有する装置であって、前記支持部材が非伝導性の高抵抗材料からなり複数の凹部を有し、各凹部が個々の切り離されたデバイスを受け入れるよう適応されている装置を開示している。そのようなデバイスを試験する方法であって、デバイスが、一つまたは複数の環境制御チャンバを含む試験プロセスを通じて支持部材上で担持される方法も開示されている。
【０００６】
米国特許出願公開US2006/0154386A1では、担体上に置かれた複数の半導体デバイスを整列させる装置および方法が提供される。整列ガイドが使用中の各デバイスに隣接して位置され、各半導体デバイスの所望の整列に対応するよう配列される。整列のためには、半導体デバイスは複数のホルダを有する位置決めデバイスによって保持される。各ホルダは半導体デバイスを保持するための力を生じるよう構成される。半導体デバイスが整列ガイドに整列するまで半導体デバイスを配向させるために半導体デバイスを整列ガイドに対して付勢するために位置決めデバイスおよびホルダを動かすよう動作するアクチュエータも提供される。
【０００７】
米国特許US7,156,680B2は、挿入体および該挿入体を設けられた電子コンポーネントハンドリング装置を開示している。挿入体に取り外し可能に取り付けられることのできるガイド・コアおよびガイド・コアが取り外し可能に取り付けられることのできる挿入体を提供するために、米国特許US7,156,680B2は、挿入体に取り外し可能な仕方で取り付けられることのできるガイド・コアであって、エリア・アレイ型電子コンポーネントの外側端末面を、該エリア・アレイ型電子コンポーネントの外側端末がソケットの接続端末の方向に曝されるよう支持することのできる支持部と、挿入体に設けられたフック部と解放可能な仕方で係合できるフック受容部とを有するガイド・コアを提供する。米国特許US7,156,680B2はまた、ガイド・コアに取り外し可能な仕方で取り付けられることのできる挿入体であって、ガイド・コアが取り付けられるガイド・コア取り付けソケットおよび該ガイド・コア取り付けソケットと接続された電子コンポーネント取入口を有し、電子コンポーネントがガイド・コア取り付けソケットに取り付けられたガイド・コアにガイドされることができるようにする電子コンポーネント・ガイド部と、ガイド・コアに設けられたフック受容部と解放可能な仕方で係合されることのできるフック部とを有する挿入体を提供する。
【０００８】
米国特許US5,596,229Aは、電気接点パッドを有するチップ担体を含むためのチップ担体構造であって、該チップ担体のための位置決め構造およびスロット付き構造を有するチップ担体構造を開示する。前記位置決め構造およびスロット付き構造はかみ合わされて、前記チップ担体を含むかみ合わされた（mated）構造を形成する。スロット付き構造のスロットは、チップ担体のパッドと整列しており、かみ合わされた位置決め構造およびスロット付き構造の外部から内部に前記パッドへの電気的および機械的アクセスを提供する。
【発明の概要】
【発明が解決しようとする課題】
【０００９】
効率的な仕方で電子コンポーネントを整列させることのできるシステムの必要がある。
【課題を解決するための手段】
【００１０】
上に定義した目的を達成するため、電子コンポーネントを整列させるための整列固定具、複数の整列固定具を有する担体および担体を使う方法が提供される。
【００１１】
本発明のある例示的な実施形態によれば、電子コンポーネントを整列させるための整列固定具が提供される。ここで、前記整列固定具は、第一の当接する（特に接触する）部分（特にセグメント）および第二の当接する部分を有する、電子コンポーネントを受け入れるよう適応された（特に、意図された）レセプタクル（これは何かを受け入れ、含むためのデバイスと表してもよい）を有する。前記整列固定具はさらに、第一の弾性的な（特に柔軟な、復元力のあるまたは弾力的な）ユニット（特にある特定の機能を実行するはたらきをする装置または装置複合体）および第二の弾性的なユニットを有する。第一の当接部は第一の弾性ユニットを介して柔軟〔フレキシブル〕にマウントされ、第二の当接部は第二の弾性ユニットを介して柔軟にマウントされる。第一の当接部および第二の当接部は、一緒になって、電子コンポーネントと浮動的に（特に、なめらかに作用し、調整するよう接続または構築されて）係合する（特に、接触する）よう適応されうる。
【００１２】
本発明のもう一つの例示的な実施形態によれば、複数の電子コンポーネントを整列させるための担体が提供される。ここで、担体は、上記の特徴を持つ複数の整列固定具を有する。
【００１３】
本発明のさらにもう一つの例示的な実施形態によれば、上述の特徴を有する担体を使う方法が提供される。該方法は：
・クランプ機構を作動させて受け入れられるべき電子コンポーネント（特にモールドされた部品）より大きなレセプタクル内の開口を露わにする段階と；
・電子コンポーネントをレセプタクル内の開口内に位置決めする（特に位置させる）段階（特に開口を露わにした後）と；
・クランプ機構を作動させて、電子コンポーネントが担体のレセプタクル内で整列されるよう開口のサイズを小さくする段階（特に位置決めした後）とを有する。
【００１４】
「整列固定具（align  fixture）」の用語は、特に加工および取り扱いの際に物理的構造を支持するためのデバイスを表しうる。「物理的構造」は、この文脈では、特に、製造または取り扱いの工程における任意の段階において作用される物質、材料片または電子コンポーネントを表しうる。
【００１５】
「整列〔アライン／位置合わせ〕」の用語は、特に、何かが配列されるまたは並べられることを表しうる。たとえば、電子コンポーネントが固定された当接部と整列されうる。
【００１６】
「電子コンポーネント」の用語は、特に、プリント回路基板のような電子支持基板上にマウントされるために適応された任意のコンポーネントを表しうる。そのような電子コンポーネントは、ハンドリング機械（handling  machine）、いわゆる「ハンドラ（handler）」によって扱われてもよい。電子コンポーネントの例は、電子チップ、すなわちパッケージングされたダイまたは裸のパッケージングされていないダイである。
【００１７】
「レセプタクル」の用語は、特に、何かを受け入れて含むデバイスを表しうる。あるいは、より特定的に、電子コンポーネントのコンテナを表してもよい。
【００１８】
「当接部」の用語は、特に、接触するセグメント、すなわち電子コンポーネントと直接当接するレセプタクルの部分を表しうる。
【００１９】
「浮動」の用語は、特に、規定された外部制御なしにある種のドリフトを許容する、電子デバイスのマウント法を表しうる。特に、「浮動的に係合する」とは、電子コンポーネントが第一の当接部および第二の当接部と接触でき、第一の当接部および第二の当接部によって保持されうることを表しうる。電子コンポーネントは、全く摩擦力なしにまたは無視できるほどの摩擦力で、ベース支持部に対してその位置を変えうる。換言すれば、浮動的にマウントされた電子デバイスとは、二つの当接部分の間に保持されることができるが電子デバイスの位置のわずかな自己適応を許容する電子デバイスのマウント状態を表しうる。
【００２０】
「担体」の用語は、特に、担持するためのコンテナまたは担持するデバイスを表しうる。担体は、該担体の複数のレセプタクルに複数の電子コンポーネントを担持するよう適応されたストリップ様部材であってもよい。そのような担体は、ハンドラとの関連で使用されてもよい。該ハンドラは、電子コンポーネントの試験（機能試験など）をその後実行するために該担体を使って電子デバイスを扱うことを許容する。
【００２１】
「クランプ」の用語は、特に、担体が、電子コンポーネントを保持するまたは圧握するために集められる諸部分をもつよう設計されることを表しうる。集められうる諸部分は、第一の当接部および第二の当接部であってもよい。クランプは弾性的であってもよい。「弾性的」の用語は、特に、フックの法則に従う力のような特に、柔軟な、復元力のあるまたは弾力的な力がはたらかされうることを表す。
【００２２】
本発明のある例示的な実施形態によれば、いずれも柔軟にマウントされた二つの当接部によって電子コンポーネントに自己作用的に（in  a  self-acting  manner）係合する整列固定具が提供されうる。第一の当接部は第一の弾性ユニットを介して柔軟にマウントされることができ、第二の当接部は第二の弾性ユニットを介して柔軟にマウントされることができる。受け入れられる電子コンポーネントのない、応力を受けない位置では、レセプタクルのサイズは受け入れられるべき電子コンポーネントより小さくてもよい。第一の当接部および／または第二の当接部は、レセプタクルの受け入れサイズに匹敵する開口を与えるよう、引き延ばされるよう適応される。電子コンポーネントはレセプタクルの受け入れサイズ内に受け入れられることができる。第一の当接部および第二の当接部は、レセプタクルの受け入れサイズからレセプタクルのクランプ・サイズへの遷移を実行しうる。ここで、レセプタクルのクランプ・サイズでは、第一の当接部および第二の当接部は、電子コンポーネントに係合するが、それでもレセプタクル内での電子コンポーネントの位置のいくらかの自由度を許容するよう適応される。レセプタクルの受け入れサイズからレセプタクルのクランプするサイズへの遷移は、自己作用的に行われうる。第一の当接部および第二の当接部は電子コンポーネントに浮動的に係合する。電子コンポーネントは、第二の弾性ユニットの張力を軽減することによって第一の当接部のほうにスライドでき、第二の弾性ユニットの張力を軽減することによって第二の当接部のほうにスライドできる。摩擦力は、スライドさせる力に比して小さくありうる。そのようなシステムは、安定性および柔軟性を得ることを許容しうる。
【００２３】
ある実施形態では、複数コンポーネントを整列させるための、複数の整列固定具を有する担体が提供されうる。複数の整列固定具は、マトリクス形式（つなわち行と列）に配列されてもよく、固定的にマウントされて担体を形成してもよい。担体は、単一の整列固定具と同様の属性を有していてもよいが、複数の電子コンポーネントに対して適用可能でありうる、すなわち複数の電子コンポーネントを同時に、特に一体的に形成された仕方で担持しうる。電子コンポーネントは、担体の整列固定具によってレセプタクル内に、規定された仕方で整列されうる。よって、担体は、複数の電子コンポーネントを整列させることを許容するよう適応される。
【００２４】
本発明のある例示的な実施形態によれば、担体を使う方法が提供されうる。ここで、電子コンポーネントが担体の一時的に拡大されたレセプタクル内に位置され、位置されると、クランプ機構によって、サイズが小さくなったレセプタクル内に弾性的にクランプされ、整列されうる。レセプタクルの拡大されたサイズからレセプタクルのクランプするサイズへの遷移は、自己作用的に行われうる。
【００２５】
以下では、整列固定具のさらなる例示的実施形態について記載するが、これらの実施形態は担体および方法にも当てはまる。
【００２６】
整列固定具は、第一の当接部に形成される操作可能な（actuatable）構造を有していてもよい。ここで、操作可能な構造は、レセプタクルを操作するために（ハンドラ・デバイスなどの）対応する操作〔アクチュエーション〕構造によって操作可能でありうる。操作可能な構造は、操作構造によって制御される任意の適切な力印加機構（たとえば、機械的な力、電気的な力、磁力などを加える）によって操作できる、たとえば凹部、凸部などであってもよい。操作構造は、操作可能な構造に対応して構成され（たとえば形および／または大きさが決められ）てもよく、たとえば所望の仕方でレセプタクルを制御するための（たとえばその開口を一時的に拡大または縮小するための）任意の適切な力印加機構（たとえば機械的な力、電気的な力、磁力などを加える）を使って操作可能な構造を操作できる突起または他の任意の力印加要素であってもよい。
【００２７】
操作可能な構造（特に操作可能な穴、操作可能なピンまたは操作可能なアーム）は、操作されて、弾性ユニットを操作するよう適応される。操作可能な構造は、レセプタクルのわきに（特にレセプタクルの境界領域の横に）位置されてもよい。操作可能な構造および第一の当接部は硬い部材をなしてもよい。操作可能な構造は、電子コンポーネントが受け入れられるべき側から（ハンドラのコントローラによって制御される操作要素によって）アクセス可能であってもよい。
【００２８】
ある実施形態では、第一の当接部および第二の当接部だけが一緒になって電子コンポーネントに浮動的かつ横方向に係合するよう適応されうる。換言すれば、電子コンポーネントは、二つのスライド可能にマウントされた当接部のみによって、横の側部において保持されうる。レセプタクル内に受け入れられた電子コンポーネントの、弾性ユニットが圧縮／伸張可能な平面内での、すなわち電子デバイスの主平面に平行な面内での平面ドリフトの自由を制限する剛性〔リジッド〕構造はない。特に、ある実施形態では、電子コンポーネントは、空間的に固定された剛性の当接部に横方向に当接することなく保持されうる。すべて（二つ以上）の当接部は柔軟にアセンブルされてもよい。ばね要素が、レセプタクルの二つの向かい合うコーナー領域に対して対角状に配置されてもよい。ばね要素は、レセプタクルの平行な両側部に沿って配置されてもよい。ばね要素によってはたらかされる力の主平面内には剛性の当接部はない。これは、電子コンポーネントに対して係合するすべての力は柔軟な仕方で係合しうるので、レセプタクル内に保持された電子コンポーネントの割れを回避しうる。向かい合うばね要素のばねスチフネス（spring  stiffness）は電子コンポーネントを中央に整列させるために等しくしてもよい。ばね要素と反対側のばね要素は、ばねスチフネスが異なっていてもよい。その場合、電子コンポーネントはばねスチフネスの値が小さいほうのばね要素のほうに整列される。
【００２９】
整列固定具は、第一の当接部および／または第二の当接部に形成される操作可能な（actuatable）構造を有していてもよい。ここで、操作可能な構造は、レセプタクルを操作するために（ハンドラ・デバイスなどの）対応する操作〔アクチュエーション〕構造によって操作可能でありうる。操作可能な構造は、操作構造によって制御される任意の適切な力印加機構（たとえば、機械的な力、電気的な力、磁力などを加える）によって操作できる、たとえば凹部、凸部などであってもよい。操作構造は、操作可能な構造に対応して構成され（たとえば形および／または大きさが決められ）てもよく、たとえば所望の仕方でレセプタクルを制御するための（たとえばその開口を一時的に拡大または縮小するための）任意の適切な力印加機構（たとえば機械的な力、電気的な力、磁力などを加える）を使って操作可能な構造を操作できる突起、ピンまたは他の任意の力印加要素であってもよい。
【００３０】
操作可能要素（特に操作可能な穴、操作可能なピンまたは操作可能なアーム）は、操作されて、それが今度は弾性ユニットを操作するよう適応される。操作可能要素は、レセプタクルのわきに（特にレセプタクルの境界領域の横に）位置されてもよい。操作可能要素および第一の当接部は一つの硬い部材をなしてもよい。操作可能要素および第二の当接部は一つの硬い部材をなしてもよい。操作可能要素は、電子コンポーネントが受け入れられるべき側から（ハンドラのコントローラによって制御される操作要素によって）アクセス可能であってもよい。操作可能な孔は第一の当接部のL字形領域に位置されていてもよい。ピンが操作可能な孔に、弾性ユニットの操作力の方向に対して垂直に挿入されてもよい。
【００３１】
上記の操作可能な構造は、第一の当接部および第二の当接部の配向を並進運動および回転運動によって調整するよう上記の操作構造によって操作されるよう適応されうる調整ユニットと表現してもよい。そのような調整ユニットは、第一の当接部および第二の当接部の二つの角度をもった当接する（特に接触する）要素（特に硬くてまっすぐな部分または点）の直線位置および角度位置を調整するよう適応されうる。当接部は一つの硬くてまっすぐな当接要素を有していてもよく、当接部は二つの角度をもった硬くてまっすぐな当接要素を有していてもよい。少なくとも二つの角度をもった当接要素の直線位置および角度位置は、電子コンポーネントの直線位置および角度位置を定義しうる。たとえば、長方形の、あるいはこの場合では電子コンポーネントの直線位置および角度位置は、長方形または電子コンポーネントの二つの角度をもった側辺部の位置および配向によって定義されうる。電子コンポーネントの二つの角度をもった側辺部は、少なくとも二つの角度をもった当接要素と当接しうる。調整ユニットは、少なくとも二つの角度をもった当接要素に固定的にマウントされた少なくとも二つの調整構造（特に孔、ピンまたはアーム）を有しうる。二つの角度をもった当接部にマウントされたこれらの調整構造の二つによって形成されうる調整ユニットは、第一の当接部と第二の当接部の間に係合される電子コンポーネントの直線位置および角度位置を定義しうる。
【００３２】
調整ユニットは、レセプタクルのサイズを拡大するよう操作されるよう適応されうる。レセプタクルおよび該レセプタクルに受け入れられる電子コンポーネントの直線位置および角度位置は調整ユニットと相互作用する少なくとも二つの角度をもった当接要素によって定義されうるので、調整ユニットは、電子コンポーネントの主平面において電子コンポーネントの角度をもった側辺部から離されるよう適応されうる。調整ユニットは前記操作可能な構造と同一であってもよい。よって、調整ユニットは、レセプタクルのサイズを拡大することを許容する。操作可能な構造および調整ユニットは、レセプタクルのわきに（特にレセプタクルの境界領域の横に）位置されてもよい。調整ユニットおよび操作可能な構造は、電子コンポーネントがレセプタクル内で位置特定されるまたは配置される間に電子コンポーネントが受け入れられる側からアクセス可能であってもよい。調整ユニットの構造は、電子コンポーネントを回転させ、再配置させるよう構成されていてもよく、調整ユニットはレセプタクルのサイズを拡大するよう適応されていてもよい。
【００３３】
第一の当接部は、第一の力をはたらかせるよう適応されてもよく、第二の当接部は電子コンポーネントに対して第二の力をはたらかせるよう適応されてもよい。ここで、第一の力および第二の力は少なくとも部分的に対向する（具体的には、互いに対してはたらく、すなわち反平行である）のでもよい。電子コンポーネントは、整列固定具のレセプタクル内で整列されうる。第一の当接部および第二の当接部は電子コンポーネントの側部に当接する。電子コンポーネントにはたらく諸力が少なくとも、一方向に向けられるのでなければ、はたらかされる力により、電子コンポーネントは静止し、整列されうる。第一の当接部および第二の当接部によって電子コンポーネントに加えられる二つの力が少なくとも部分的に対向しているとき、摩擦力を含めることによって、電子コンポーネントは静止しうる。
【００３４】
第一の当接部および第二の当接部は、第一の力がレセプタクルの主平面内ではたらき（すなわち、力のベクトルが主平面内にあってもよい）、第二の力がレセプタクルのこの主平面に平行にはたらくよう適応されてもよい。レセプタクルの前記主平面は、整列固定具の主平面に平行なものとして定義されうる。電子コンポーネントは、第一の当接部および第二の当接部によってはたらかされる力が一つの平面内ではたらく場合に、適切な仕方で整列されうる。第一の当接部および第二の当接部は、電子コンポーネントの側部に当接しうる。第一の力および第二の力の両方をレセプタクルの主平面内ではたらかせることによって、電子コンポーネントに対する全体的な力は、電子コンポーネントをひっくり返してレセプタクルから外に出す傾向をもつ回転モーメントは示さない。電子コンポーネントは、レセプタクルの主平面と平行な力によってレセプタクル内で堅固に整列されうる。
【００３５】
レセプタクルはさらに、レセプタクルの主平面に平行な支持面（特に、基礎としてのはたらきをすることによってある位置に保持する何か）をなすベース支持部を有してもよい。ベース支持部によってはたらかされる支持力は、電子コンポーネントの主平面に対して作用してもよく、特に重力と反平行であってもよい。電子コンポーネントは、レセプタクルの主平面および電子コンポーネントの主平面が平行となるようレセプタクル内で配置されてもよい。電子コンポーネントに作用するベース支持部はレセプタクルの主平面に平行であってもよく、それにより電子コンポーネントはベース支持部の支持によってレセプタクルの主平面内に整列される。電子コンポーネントを電子コンポーネントの主平面内で支持することの利点は、電子コンポーネントに対する荷重が電子コンポーネントの主要面の種々の部分に分散されうるということと、第一および第二の当接部の第一の力および第二の力がベース支持部に平行にはたらかされうるということがありうる。こうして、第一の力の配向および第二の力の配向は、ベース支持部上での電子コンポーネントの割れを回避しうる。
【００３６】
ベース支持部は、第一の力および第二の力に垂直に支持力をはたらかせるよう適応されてもよい。ベース支持部によってはたらかされる支持力は、電子コンポーネントをその主平面に対して直角に整列させるよう適応されてもよい。支持力が第一および第二の当接部によってはたらかされる力と垂直であることの技術的利点は、電子コンポーネントに対して該電子コンポーネントを傾けて整列固定具の主平面から外しうる回転モーメントがはたらかないということでありうる。よって、電子コンポーネントはその主平面に対して整列された位置に留まりうる。しかしながら、第一および第二の当接部両方の弾性的なマウントのため、主平面内では回転モーメントが電子コンポーネントに作用することがありうる。これにより、回転的な浮動も許容される。よって、電子コンポーネントは並進的な浮動および回転的な浮動の両方を受けうる。
【００３７】
柔軟にマウントされた第一の当接部および柔軟にマウントされた第二の当接部は、レセプタクルの主平面と平行な動きを実行するよう適応されてもよい。柔軟にマウントされている当接部によってはたらかされる力は、レセプタクルの主平面と平行にはたらかされる。電子コンポーネントを整列させる力は、弾性ユニットによって与えられてもよく、弾性ユニットは、レセプタクル自身の主平面内での弾性ユニットの自己作用運動（self-acting  movement）によって、柔軟にマウントされた当接部および電子コンポーネントをレセプタクルの主平面内で動かしてもよい。こうして、弾性ユニットの力は、電子コンポーネントが主として頑丈であるまたは安定である平面内で、電子コンポーネントに対してはたらかされうる。
【００３８】
特に、整列固定具は、第一の弾性ユニットの下かつ第二の弾性ユニットの下に配置されたベース支持板を有していてもよい。ここで、第一の弾性ユニットおよび第二の弾性ユニットは、ベース支持板によって少なくとも部分的に支持されるレセプタクルの主平面に平行な動きを実行するよう適応される。
【００３９】
整列固定具は、ベース支持板を有していてもよく、該ベース支持板の上に弾性ユニットが配置される。ここで、それらの弾性ユニットは、ベース支持板によって少なくとも部分的に支持されるレセプタクルの主平面に平行な動きを実行するよう適応されうる。ある実施形態では、ベース支持板およびそれらの弾性ユニットはレセプタクルの主平面と平行に、かつ完全な整列固定具の主平面と平行に配置されうる。それらの弾性ユニットは、それらの弾性ユニットが配置されうるベース支持板に沿って動きうる。少なくとも一つの方向（これはベース支持板に向かって配向される方向であってもよい）では、それらの弾性ユニットは、望ましくない変形に対して保護されうる。ベース支持板は平面状であってもよいし、あるいは弾性ユニットの動きを案内するよう適応された一つまたは複数の凹部を有していてもよい。
【００４０】
整列固定具は、ベース支持板および受け入れ板を有していてもよく、両者の間に弾性ユニットが配置されてもよい。それらの弾性ユニットは、ベース支持板および受け入れ板によって少なくとも部分的に案内（特に、何かの動きの向きを定めること）されるレセプタクルの主平面と平行な運動を実行するよう適応されうる。受け入れ板は特に、凹部（または受け入れる開口）を有し、それを介して電子コンポーネントが凹部を通じた挿入によってレセプタクルに受け入れられることができてもよい。ある実施形態では、ベース支持板、受け入れ板および弾性ユニットは、レセプタクルの主平面と平行に、かつ完全な整列固定具の主平面と平行に配置されうる。それらの弾性ユニットは、その間にそれらの弾性ユニットが配置されるベース支持板と受け入れ板の間で動きうる。それらの各弾性ユニットは、二つの方向での変形に対して保護されうる。それらの弾性ユニットが保護されうる二つの方向は、ベース支持板に向かって配向される方向および受け入れ板に向かって配向される方向であってもよい。ベース支持板および受け入れ板は、平面状であってもよいし、あるいは弾性ユニットの動きを案内するよう適応された凹部を有していてもよい。
【００４１】
特に、整列固定具は、ベース支持板および受け入れ板を有していてもよく、両者の間に第一の弾性ユニットおよび第二の弾性ユニットが配置されてもよい。第一の弾性ユニットおよび第二の弾性ユニットは、ベース支持板および受け入れ板によって少なくとも部分的に案内されてレセプタクルの主平面と平行な運動を実行するよう適応される。
【００４２】
整列固定具はさらに、厚さを調整するよう適応された少なくとも一つの距離調整板を有していてもよい。距離適応の目的のために、整列固定具は三つよりさらに多くの板を有していてもよい。
【００４３】
各弾性ユニットはばね要素（特に、ゴム部材、任意の種類の弾性材料部材、鋼ばね板から形成されるばね、ばねワイヤから形成されるばねまたは板ばね〔フラット・スプリング〕、コイルばね、重ね板ばね〔リーフ・スプリング〕などのような任意の種類のばね）を有していてもよい。ばね要素は、板から一体形成されうる。第一の弾性ユニットおよび第二の弾性ユニットのばね要素は、共通の板から一体的に形成されうる。ばね要素は、変形に対して弾性的な復元力、すなわちフックの法則に従う振る舞いを示しうる。
【００４４】
それらの弾性ユニットのちの任意のものは、第一のばね要素および第二のばね要素を有していてもよい。ここで、柔軟にマウントされた対応する当接部は、第一のばね要素および第二のばね要素と接続される。ある実施形態では、第一のばね要素および第二のばね要素は、互いに対して角度を付けて配置される。ばね要素の形、材料および大きさに依存して、二つのばね要素を弾性ユニットに組み合わせることが有利であることがある。二つよりさらに多いばね要素が弾性ユニットを形成してもよい。二つ以上のばね要素を弾性ユニットに組み合わせることによって、弾性ユニットによってはたらかされる力の方向および絶対値が適応されうる。ある実施形態では、第一のばね要素および第二のばね要素は互いに対して角度を付けて配置されうる。
【００４５】
少なくとも一つの弾性ユニットは、少なくとも一つの弾性ユニット受け入れ部にマウントされるよう適応された別個の弾性部材であってもよい。少なくとも一つの弾性ユニット受け入れ部は、前記板の一つから形成されてもよく、別個の弾性部材を受け入れるよう適応されていてもよい。整列固定具の適応性を高めるため、少なくとも一つの弾性ユニットは別個の弾性部材であってもよい。一つの弾性ユニット板または他の任意の適応された板が、種々の型の弾性部材を受け入れるのに好適でありうる。この結果として、整列固定具を種々のサイズの電子コンポーネントに適応させるのに必要とされる板がより少なくなりうる。整列固定具を種々の電子コンポーネント型に適応させるために、単にレセプタクルの個別のサイズ、弾性ユニット受け入れ部の位置を変える、あるいは挿入されるべき弾性部材のサイズを変えるということも可能でありうる。別個の弾性部材は、取り外し可能にマウントされ、それにより整列固定具を変えるのをより便利にしうる。
【００４６】
弾性ユニット受け入れ部は、別個の弾性部材である第一の弾性ユニットおよび第二の弾性ユニットの前記少なくとも一つを、その少なくとも一つの弾性ユニットが回転しないよう固定されるよう、その少なくとも一つの弾性ユニットのサスペンションにおいて固定する（特に、留めるまたは固着させる）よう適応されていてもよい。そうでなければ、弾性部材は定義された方向に力をはたらかせないことがありうる。力の方向および大きさは、弾性ユニットが回転可能でなければ変わらない。半導体デバイスのより小さなサイズにつながる半導体製造における小型化のため、半導体デバイスを非常に精密に整列させる必要があることがある。よって、そのサスペンションに受け入れられた弾性部材が回転しないようにすることが有利である。力が方向および大きさにおいて定義されうるからである。
【００４７】
別個の弾性部材である前記少なくとも一つの弾性ユニットは、形状ロックする仕方で固定的に据え付けられてもよい。前記少なくとも一つの弾性ユニット受け入れ部は、弾性ユニットのサスペンション内に弾性ユニットを固定するよう適応されていてもよい。ここで、弾性ユニットはポジティブ・ロッキングをもって固定的に据え付けられる。弾性ユニットを形状ロックする仕方で固定的に据え付けることによって、前記別個の弾性部材のスリップが防止されうる。弾性ユニットは、整列固定具から外れることを防止されうる。弾性ユニットを形状ロックする仕方で据え付けることによって、弾性ユニットによってはたらかされる力の方向および大きさが定義され得、安定に維持されうる。
【００４８】
第一の当接部、第二の当接部およびベース支持部は、電子コンポーネントが受け入れられうる電子コンポーネント受け入れ体積の境界を定めてもよい。それらの弾性ユニットの少なくとも一部が電子コンポーネント受け入れ体積の底面の下に延在してもよい。それらの弾性ユニットを電子コンポーネント受け入れ体積の下に配置することによって、整列固定具のために必要とされる空間を小さく保ちうる。平均的な電子コンポーネントより大きな電子コンポーネントについては、整列固定具の主平面内の空間を節約することが有用でありうる。それらの弾性ユニットの偏差がサイズの大きな電子コンポーネントについては大きくなりうるので、それらの弾性ユニット（またはそれらの弾性ユニットのうちの少なくとも一つの一部）を電子コンポーネント受け入れ体積の下に配置することによって、それらの弾性ユニットが電子コンポーネント受け入れ体積の横にのみ配置される配置に比べて、著しい空間（たとえば空間の８倍まで）が節約されうるということになる。
【００４９】
特に、第一の弾性ユニットおよび第二の弾性ユニットの少なくとも一方はばね要素を有する。
【００５０】
特に、第一の弾性ユニットおよび第二の弾性ユニットの少なくとも一方は第一のばね要素および第二のばね要素を有し、柔軟にマウントされた第一の当接部および柔軟にマウントされた第二の当接部のうち対応するものは、第一のばね要素および第二のばね要素と接続される。
【００５１】
特に、第一の弾性ユニットおよび第二の弾性ユニットの少なくとも一方は、整列固定具の少なくとも一つの弾性ユニット受け入れ部にマウントされるよう適応された別個の弾性部材である。
【００５２】
特に、前記少なくとも一つの弾性ユニット受け入れ部は、第一の弾性ユニットおよび第二の弾性ユニットのうち別個の弾性部材である前記少なくとも一つを、この弾性ユニットが回転しないよう固定されるように、対応する弾性ユニットのサスペンションにおいて固定するよう適応される。
【００５３】
特に、第一の弾性ユニットおよび第二の弾性ユニットの前記少なくとも一方は、形状ロックする仕方で前記少なくとも一つの弾性ユニット受け入れ部に固定的にマウントされる。
【００５４】
特に、第一の当接部、第二の当接部およびベース支持部は、電子コンポーネントが受け入れられる電子コンポーネント受け入れ体積の境界を定める。ここで、第一の弾性ユニットおよび第二の弾性ユニットの少なくとも一方の少なくとも一部は、電子コンポーネント受け入れ体積の下面より下に延在する。
【００５５】
柔軟にマウントされた第一の当接部および柔軟にマウントされた第二の当接部の少なくとも一方は、それがマウントされている第一の弾性ユニットおよび第二の弾性ユニットのうちの対応するものから上方に延在し、この当接部は電子コンポーネント受け入れ体積の横に延在する。
【００５６】
柔軟にマウントされた前記当接部の一つは、それがマウントされる弾性ユニットから上向きの方向に延在してもよく、この当接部は電子コンポーネント受け入れ体積の横に延在してもよい。対応する当接部は、受け入れられる電子コンポーネントに当接するよう適応されるために、電子コンポーネント受け入れ体積の横に、電子コンポーネント受け入れ体積と同じ高さに延在してもよい。そのような柔軟にマウントされた当接部は、電子コンポーネント受け入れ部の下に延在する割り当てられた弾性ユニットから、電子コンポーネント受け入れ部に向けて上方におよび電子コンポーネント受け入れ部の横（すなわち外部）に延在してもよく、柔軟にマウントされた当接部は、レセプタクル内に受け入れられた電子コンポーネントに当接するよう適応されてもよい。第一の当接部および第二の当接部は、電子コンポーネントをそれらの間の空間内にクランプするよう適応されてもよい。
【００５７】
特に、整列固定具は、並進運動および回転運動によって第一の当接部および第二の当接部の配向を調整するよう操作されるよう適応されている操作可能な構造を有していてもよい。
【００５８】
特に、操作可能な構造はレセプタクルのサイズを拡大するために操作されるよう適応される。
【００５９】
第一の当接部、第二の当接部、弾性ユニット、ベース支持部および操作可能な構造（調整ユニット）からなる群の少なくとも一つは、少なくとも部分的に板から一体形成されてもよい。エッチング技法またはレーザー技法といったデザイン技法を使うことによって少なくとも一つの機能要素を板から製造することは便利でありうる。これらの技法は、薄板、たとえば金属板に適用するのに最適に好適でありうる。エッチングまたはレーザー・カットによって、製造される構造の高精度が達成されうる。
【００６０】
第一の当接部、第二の当接部、弾性ユニット、ベース支持部および操作可能な構造（調整ユニット）からなる群の少なくとも二つは、少なくとも部分的に一枚の板から一体形成されてもよい。一枚の板から機能要素の少なくとも一つを一体形成することに関して述べたのと同じ利点が、一枚の板から二つまたはさらに多くの機能要素を形成することについても成り立つ。一枚の板を使ってできるだけ多くの機能要素を製造することが一層便利でありうる。特に、諸弾性ユニット上にマウントされる当接部および諸弾性ユニットは一枚の板から形成されうる。このように、第一の当接部、第二の当接部および諸弾性ユニットは一枚の板から一体形成されうる。板の形を適切に適応させるとき、同じ板からベース支持部も形成することさえ可能でありうる。
【００６１】
以下では、担体のさらなる例示的実施形態について記載するが、これらの実施形態は整列固定具および方法にも当てはまる。
【００６２】
複数の電子コンポーネントを整列させるための担体は、複数の整列固定具を設けられうる。ある実施形態では、複数の整列固定具は、共通の基板（これは一つまたは複数の板によって構成されてもよい）に基づいて一体形成されてもよい。
【００６３】
第一の弾性ユニットおよび第二の弾性ユニットが各レセプタクルに割り当てられうる。一つのレセプタクルに割り当てられたより多くの弾性ユニットがありうる。一つのレセプタクルに諸弾性ユニットを割り当てることによって、電子コンポーネントを別の電子コンポーネントとは独立に整列させる方法がありうる。これは、第一の電子コンポーネントを受け入れ、整列させることが、別の第二の電子コンポーネントを受け入れ、整列させることに影響をもたないので、有利でありうる。
【００６４】
少なくとも一つの弾性ユニットがレセプタクルの複数に割り当てられうる。弾性ユニットは、二つ以上の弾性部を有していてもよく、二つの当接部が一つの弾性部の向かい合う側にマウントされるよう配置されてもよい。三つ、四つ、五つまたはそれ以上のレセプタクルが一つの弾性ユニットを共有してもよい。さらに、一つの弾性ユニットに二つ以上の弾性部を設けることは、コスト効率がよく、スペースの節約になることがありうる。弾性ユニット板に、それぞれレセプタクルまたは電子コンポーネントと同数の、弾性ユニットおよび弾性部を設けることが適切でありうる。
【００６５】
担体は、諸弾性ユニットを有する第一の板および第二の板を設けられてもよい。ここで、第一の板は、第二の板の上にスライド可能に配置されてもよく、第一の板は、第二の板に対して複数の整列固定具の一斉的な（mutual）スライドを許容するよう適応されうる。本発明のある例示的な実施形態によれば、担体は、それぞれが複数の電子コンポーネントのうちの割り当てられたものを受け入れる複数のレセプタクルを有していてもよい。複数のレセプタクルのサイズは、第一の板の第一の当接部および第二の板の第二の当接部によって境界を定められてもよい。第一の板の第一の当接部および第二の板の第二の当接部は、レセプタクルの互いに反対側にあってもよい。第一の板および第二の板は、第一の板の主平面および第二の板の主平面に沿って互いに対して移動可能であってもよく、レセプタクルのサイズは、第一の板と第二の板の相対位置が互いに対して変わったときには変わってもよい。第一の板および第二の板は、互いに平行であってもよい。第一の板および第二の板の位置は、対角線方向に変えられてもよい。すなわち、第一の板のコーナー領域および第二の板のコーナー領域が近接させられてもよく、これとは逆に引き離されてもよい。第一の板および第二の板の動きまたは第一の当接部および第二の当接部の近接または引き離しは、第一の板の主平面および第二の板の主平面内で生起しうる。複数の電子コンポーネントは、複数のレセプタクル内で、第一の板と第二の板のコーナー領域どうしが接近するときに、複数の第一の当接部および複数の第二の当接部の間でクランプされうる。第一の板および第二の板のコーナー領域が接近し、引き離されるときに、複数のレセプタクルのコーナー領域は同時に接近し、引き離されてもよい。
【００６６】
特に、担体は、第一の諸弾性ユニットを有する第一の板および第二の諸弾性ユニットを有する第二の板を設けられてもよい。ここで、第一の板は、第二の板に対してスライド可能に配置されてもよく、第一の板は、複数の第二の当接部に対して複数の第一の当接部の一斉的な（mutual）再配置を許容するよう適応される。
【００６７】
第一の板は、複数の第一の弾性ユニットを有する弾性ユニット板であってもよい。ここで、各レセプタクルは前記複数の第一の弾性ユニットの少なくとも一つを割り当てられている。第二の弾性板および第二の弾性ユニットについても同じことが当てはまる。第一の当接部は、それぞれ第一の弾性ユニット上に形成されうる。第二の当接部は、それぞれ第二の弾性ユニット上に形成されうる。第一の弾性ユニットおよび第二の弾性ユニットの目的は、複数の電子コンポーネントのさまざまな大きさについての補償許容差を認めることでありうる。そうでなければ、電子コンポーネントのさまざまな大きさのため、それらの電子コンポーネントはレセプタクルから外れることがありうるし、整列不良も起こりうる。第一の弾性ユニットおよび第二の弾性ユニットは、特に、第一および第二の当接部の弾性属性を調整することを許容する弾性パターンまたはゴム部分であってもよい。第一の弾性ユニットおよび第二の弾性ユニットは、任意の種類のばねのような、弾性的である任意のユニットであってもよい。ある実施形態では、第一の板および第二の板は、互いに対して平行に配置されうる。第一の板は、第一の板が配置されうる第二の板に沿って動きうる。第二の板に向かう方向であってもよい少なくとも一つの方向では、第一の板は、望ましくない変形に対して保護されうる。第二の板は平面状であってもよいし、あるいは第一の板の動きを案内するよう適応された凹部を有していてもよい。
【００６８】
第一の諸弾性ユニットおよび第二の諸弾性ユニットの各弾性ユニットの位置または変形状態は、それぞれの割り当てられたレセプタクルの境界の一つを決定しうる。第一の弾性ユニットおよび第二の弾性ユニットの位置は、レセプタクルの大きさを決定し得、第一の弾性ユニットおよび第二の弾性ユニットの変形状態は、レセプタクルの大きさを決定しうる。第一の諸弾性ユニットの位置は、第一の板および第二の板の互いに対する位置とともに一斉に変化しうる。各第一の当接部の位置は、各第二の当接部に対して変化しうる。第一の板および第二の板の互いに対する位置の変化は、各レセプタクルの大きさの一斉的な変化を引き起こしうる。すなわち、一斉に、レセプタクルの大きさが増大してもよく、レセプタルの大きさが減少してもよい。しかしながら、各レセプタクルが、それぞれ第一の弾性ユニットおよび第二の弾性ユニットの変形状態の変化を伴って、個々にその大きさを変えてもよい。第一の弾性ユニットおよび第二の弾性ユニットの変形状態に起因して、レセプタクルの大きさは、第一の弾性ユニットおよび／または第二の弾性ユニットがプレストレスを与えた（prestressed）位置に持ち込まれるときに増大してもよく、張力が除かれたときに減少してもよい。
【００６９】
第一の板および第二の板は、少なくとも一つの板接続弾性ユニットによって互いに弾性的に結合されてもよい。少なくとも一つの板接続弾性ユニットは、諸レセプタクルの大きさが一斉に増大させられるときに張力を受けてもよく、板接続弾性ユニットの張力は、第一の板および第二の板がレセプタクルの減少した大きさまでその位置を変えるときに少なくとも部分的に解放または解放されてもよい。諸レセプタクルの大きさは、前記少なくとも一つの板接続弾性ユニットの張力が自己作用的に解放されるときに一斉に減少されうる。
【００７０】
第二の板は、第一の板の当接のために適応された第一の板当接部を有していてもよい。第一の板は、第二の板の当接のために適応された第二の板当接部を有していてもよい。第二の板当接部および第二の板当接部は、第一の板当接部と第二の板当接部が互いに当接するときに、レセプタクルのクランプ・サイズを定義しうる。ここで、レセプタクルのクランプ・サイズは、各レセプタクルにおける電子コンポーネントのクランプのために適応される。各レセプタクルはそれぞれの電子コンポーネントをクランプするよう適応され得、レセプタクルのクランプ・サイズは、第一の板と第二の板の互いに対する位置によって与えられうる。「クランプ（clamp）」の用語は、特に、担体が、電子コンポーネントを保持または圧握するために近づけられる諸パーツをもつよう設計されうることを表す。近づけられる諸パーツは、第一の当接部および第二の当接部であってもよい。
【００７１】
板接続弾性要素および複数の弾性ユニットは、電子コンポーネントがレセプタクル内に受け容れ可能でありうるレセプタクルの拡大されたサイズから、電子コンポーネントがクランプされうるレセプタクルの縮小されたクランプ・サイズに向けての自己作用式の遷移のための合力（total  force）を与えるよう適応されうる。合力は、電子コンポーネントがクランプ位置に来たときの、前記少なくとも一つの板接続弾性ユニットによってはたらかされる力から前記複数の第一の弾性ユニットおよび第二の弾性ユニットによってはたらかされる力を引いたものによって定義されうる。前記少なくとも一つの板接続弾性ユニットの力は、前記複数の第一の弾性ユニットおよび第二の弾性ユニットによってはたらかされる力より大きいことがありうる。合力は正であってもよく、レセプタクルの拡大されたサイズから、第一の板の第二の板当接部および第二の板の第一の板当接部が互いに当接しうるレセプタクルのクランプ・サイズへの自己作用式の遷移を提供しうる。
【００７２】
特に、担体は、第一の板、第二の板および第三の板を有していてもよい。ここで、第一の板は第一の諸弾性ユニットを有し、第二の板は第二の諸弾性ユニットを有し、第一の板は第二の板と第三の板の間に浮動式に配置され、第一の板は複数の第一の当接部の複数の第二の当接部に対する一斉的な再配置を許容するよう適応される。
【００７３】
担体はさらに、第一の板および第二の板において形成されるハンドリング構造（handling  structure）を有していてもよい。ハンドリング構造は、スライド可能に配置された第一の板および第二の板を、板接続弾性要素に抗してレセプタクルの拡大されたサイズに向けて相対的に動かすよう、第一の板および第二の板を取り扱うために適応されうる。担体のハンドリング構造は、前記少なくとも一つの板接続弾性ユニットの力から前記複数の第一の弾性ユニットおよび第二の弾性ユニットの力を引いたものによって与えられる合力に抗して第一の板および第二の板を相対的に動かすよう適応されうる。ハンドリング構造はレセプタクルを、前記合力に抗して、電子コンポーネントのボディがレセプタクル内に受け容れ可能である拡大されたサイズに拡大するよう適応されうる。
【００７４】
担体は、第一の板、第二の板および第三の板を設けられてもよい。ここで、第一の板は第二の諸弾性ユニットを有する第二の板と第三の板との間に浮動的に配置されてもよい。複数のレセプタクルのサイズは、第一の板の第一の当接部および第二の板の第二の当接部によって画定されうる。第一の板は、複数の整列固定具の一斉的な浮動を許容するよう適応されうる。第二の板および第三の板は互いに対して固定的にマウントされてもよい。第一の板は、複数のレセプタクルの一斉的な浮動（特に、なめらかに動作および調整するよう接続または構築されて）を許容するよう適応されてもよい。ハンドリング構造は、第一の板を前記合力に抗してレセプタクルの拡大サイズに向けて動かすよう適応されていてもよい。板接続弾性ユニットは第一の板をレセプタクルのクランプ・サイズに向けて動かすよう適応されうる。第一の板、第二の板および第三の板は、互いに対して平行に配置されうる。第一の板は、第二の板と第三の板の間に配置されてもよく、第二の板と第三の板に沿って動きうる。第一の板は、第二の板に向かう方向および第三の板に向かう方向であってもよい各方向において望ましくない変形に対して保護されうる。第二の板および第二の板は、平面状であってもよく、あるいは第一の板の動きを案内するよう適応された凹部を有していてもよい。
【００７５】
第二の板は前記ベース支持板であってもよく、電子コンポーネントの主要面を支持するよう適応されていてもよいベース支持部を有していてもよい。レセプタクルのベース支持部は第二の板から形成されてもよい。各レセプタクルに割り当てられるベース支持板は、一枚の板から一体形成されるまたは複数のベース支持板から構成される第二の板に延在してもよい。第二の板の配向は、各レセプタクルに平行であってもよく、各ベース支持部に平行であってもよい。各ベース支持部によってはたらかされる支持力は、電子コンポーネントの主平面に対して垂直に作用してもよく、互いに平行であってもよい。
【００７６】
第三の板はあるベース支持板であってもよく、電子コンポーネントの主要面を支持するよう適応されているベース支持部を有する。
【００７７】
以下では、方法のさらなる例示的実施形態について記載するが、これらの実施形態は整列固定具および担体にも当てはまる。
【００７８】
方法はさらに、電子コンポーネントを後処理機械内に置き、その後、電子コンポーネントが担体のレセプタクル内で整列された位置を維持している間に電子コンポーネントを後処理機械の操作にかけることを含みうる。後処理方法は、特に、電子コンポーネントの評価または試験のプロセスを表しうる。よって、後処理機械は特に、電子コンポーネントを評価または試験する機械を表しうる。電子コンポーネントの後処理の間、電子コンポーネントの品質についての情報を得るために、電子コンポーネントはさまざまな物理的条件のもとに置かれうる。後処理は、特に、電子コンポーネントを関心のあるさまざまな電気的および／または機械的条件のもとに置くことによる電子コンポーネントの品質試験または品質評価を表しうる。
【００７９】
方法はさらに、クランプ機構によって電子コンポーネントを、電子コンポーネントの側部のみで弾性的にクランプすることを含みうる。電子コンポーネントは担体の拡大されたレセプタクル内に置かれ得、置かれると、クランプ機構によって、レセプタクルのクランプ・サイズ内に弾性的にクランプされて整列されうる。レセプタクルの拡大サイズからレセプタクルのクランプ・サイズへの遷移は、レセプタクルの主平面内で起こりうる。レセプタクルの主平面は、担体の主平面と、電子コンポーネントの主平面と、および整列固定具の主平面と一致しうる。担体は、後処理機械中に置かれうる。電子コンポーネントがレセプタクル内にクランプされ、整列されている間に、電子コンポーネントは後処理機械の操作にかけられうる。
【００８０】
方法はさらに、担体に、該担体の確定的な（特に精確な、一意的なまたは曖昧さのない）識別のための識別特徴（identifying  feature）または識別子（identifier）を与えることを含みうる。後処理機械は、アセンブリー・ラインをなしてもよい。担体は、ある後処理機械からさらなる後処理機械に搬送されてもよい。後処理の際のプラントにおける各担体の一意的な識別情報は、プラント内での各担体の経路を追跡する（特にトレースする）ことを可能にし、各電子コンポーネントを追跡することを可能にする。こうして、識別特徴によって、各担体および各電子コンポーネントがアセンブリー・ラインにおいて追跡されうる。
【００８１】
方法はさらに、基準検出（fiducial  detection）のための基準マーカー（fiducial  marker）を担体に与えることを含みうる。基準マーカーまたはマークと併せた視覚システム（vision  system）が、後処理機械内での担体の位置および配向の検出を提供しうる。これは、電子コンポーネントのマーク付け（marking）または接触（contacting）といった担体の精確な整列を必要とするプロセスを処理しているときに有利でありうる。
【００８２】
方法は、電子コンポーネントを第二の当接部と整列させることを含みうる。ここで、第一の当接部および第二の当接部がマウントされている弾性（特に柔軟な、復元力のあるまたは弾力的な）ユニット（特にある特定の機能を実行するはたらきをする装置または装置複合体）によって第一の力が自己作用式にはたらかされうる。前記当接部のそれぞれは、少なくとも前記弾性ユニットの割り当てられた一つにマウントされうる。第一の弾性ユニットはそれぞれ、第二の当接部に向けて第一の力をはたらかせうる。第二の弾性ユニットはそれぞれ、第一の当接部に向けて第二の力をはたらかせうる。第二の当接部のそれぞれは、第一の当接部の一つに割り当てられる。電子コンポーネントは第二の当接部と整列されうる。
【００８３】
方法はさらに、第一の当接部および第二の当接部の少なくとも一つに対して二つの力成分をはたらかせ、該当接部が電子コンポーネントに対して二つの角度をもった力成分をはたらかせるようにすることを含みうる。
【００８４】
後処理は、電子コンポーネントが担体によって保持および整列され、担体を取り扱うことによって動かされている間にレーザー・マーキングすることを含みうる。電子コンポーネントがレセプタクル内でクランプされ、整列されている間、電子コンポーネントはレーザー・マーキング手順にかけられうる。電子コンポーネントは、接点側がベース支持部に当接するかシンボル側がベース支持部に当接するかとは独立に、アクセス可能なシンボル側を有しうる。接点側がベース支持部と当接する場合、シンボル側は受け入れ側に対して開かれており、いかなる制約もなくレーザー・マーキングにかけられうる。シンボル側がベース支持部と当接する場合、レセプタクルのベース支持部はその中心にアクセス開口を有していてもよい。アクセス開口は、電子コンポーネントの端領域がベース支持部といまだ当接する程度だけの広がりをもつ。
【００８５】
後処理は、電子コンポーネントが担体によって保持および整列され、担体を取り扱うことによって動かされている間のバーンイン試験を含みうる。バーンイン試験では、電子コンポーネント、特に半導体デバイスは、所定の時間期間にわたって熱（たとえば一時間未満ないし数時間にわたって200°Cまでの温度）にかけられうる。バーンイン試験の間、電子コンポーネントは電流フィードによって追加的に電力試験にかけられうる、および／または、電子コンポーネントは該電子コンポーネントの電子的な品質を試験するために電子的な試験にかけられうる。担体は、金属、熱硬化性プラスチックまたは樹脂のような耐熱性材料で該担体を形成することによって、高温に耐えるよう適応されうる。
【００８６】
後処理は、電子コンポーネントが担体によって保持および整列され、担体を取り扱うことによって動かされている間のベークイン・プロセスを含みうる。ベークイン・プロセスは、電子コンポーネントが、電気的な試験や負荷なしに、所定の時間期間にわたって加熱される（たとえば一時間未満ないし数時間にわたって200°Cまでの温度）プロセスであってよい。耐熱性材料から前記担体を形成することにより、担体が、電子コンポーネントが約１時間の期間にわたって高温にかけられるベークイン・プロセスに耐えられるようにできる。ベークイン・プロセスは、最終試験をもってさらに続けるために電子コンポーネントに対する電気的な負荷を軽減するために使用されてもよい。
【００８７】
後処理は、電子コンポーネントが担体によって保持および整列され、担体を取り扱うことによって動かされている間の、ハンドラ上での最終試験を含みうる。多様な実施例をもつ最終試験は、電子コンポーネントがアセンブルされる前に実行される試験であってよい。電子コンポーネント、たとえば半導体デバイスの最終試験は、電子的な機能試験であってもよく、任意の組み合わせでの多様な温度、圧力、加速および傾斜角といった多様な物理的試験条件を含みうる。機械的および温度の荷重に耐える単数または複数の材料から前記担体を形成することにより、前記担体は、これらさまざまな条件下で電子コンポーネントを整列させるよう適応され得、電子コンポーネントの接点を接触させることを許容するよう適応されうる。
【００８８】
ある実施形態では、後処理は、電子コンポーネントが担体によって保持および整列され、担体を取り扱うことによって動かされている間の、ハンドラ上での最終試験を含まず、そのような最終試験がなくてもよい。レーザー・マーキング、バーンインまたはベークインのあと、直接に、電子コンポーネントに対して選択的マーキングが作用させられてもよい。
【００８９】
後処理は、電子コンポーネントが担体によって保持および整列され、担体を取り扱うことによって動かされている間の、選択的マーキングを含みうる。レーザー・マーキングの説明を参照するに、同じことが選択的マーキング、たとえばレーザー・マーキングについても有効である：電子コンポーネントは、接点側がベース支持部に当接するかシンボル側がベース支持部に当接するかとは独立に、アクセス可能なシンボル側を有しうる。接点側がベース支持部に当接する場合、シンボル側は受け入れ側に対して開かれており、いかなる制約もなくレーザー・マーキングにかけられうる。シンボル側がベース支持部に当接する場合、レセプタクルのベース支持部はその中心に開口を有していてもよい。開口は、電子コンポーネントの端領域がベース支持部と当接する程度の広がりをもつ。選択的マーキング後、担体内に置かれた電子コンポーネントは、選択的に「陽（positive）」とマークされる、選択的に「陰（negative）」とマークされる、あるいは完全に「陽」または「陰」とマークされうる。他の分類（「陽」または「陰」以外）も可能である。選択的マーキングは、電子コンポーネントの品質特徴を指摘するマーク、たとえば半導体デバイスを動作させる最大周波数を記すマークをも含みうる。
【００９０】
レーザー・マーキング、バーンイン試験、ベークイン、最終試験および選択的マーキングからなる群の少なくとも二つが、担体から電子コンポーネントを取り除くことなく実行されてもよい。換言すれば、これらのまたは他の手順のうちの複数が、電子コンポーネントが担体上に整列されたままである間に実行されてもよい。担体は、多様な物理的条件に耐えるよう適応され得、完全なまたは部分的な後処理を通じて電子コンポーネントを精確に整列させうる。こうして、電子コンポーネントは完全な後処理の間または後処理の一部の間、担体内に保持され、整列されうる。
【００９１】
後処理後、電子コンポーネントは、電子コンポーネントが担体によって保持および整列されている間に担体を後処理機械から取り除くことによって、後処理機械から取り除かれうる。
【００９２】
上に定義した諸側面および本発明のさらなる諸側面は、以下に記載する実施形態の例から明白であり、これらの実施形態の例を参照することで説明される。
【図面の簡単な説明】
【００９３】
【図１】本発明の例示的な実施形態に基づくばね板の詳細を示す図である。
【図２】図１のようなばね板を有する担体の概観を示す図である。
【図３】図２のアセンブルされた担体の分解組立図である。
【図４】本発明の例示的な実施形態に基づく種々の整列固定具の一つを示す概略図である。
【図５】本発明の例示的な実施形態に基づく種々の整列固定具の一つを示す概略図である。
【図６】本発明の例示的な実施形態に基づく種々の整列固定具の一つを示す概略図である。
【図７】本発明の例示的な実施形態に基づく種々の整列固定具の一つを示す概略図である。
【図８】本発明の例示的な実施形態に基づく、一斉にスライド可能な第一の諸当接部をもつ担体の詳細を示す図である。
【図９】図８の実施形態に基づく、一斉に拡大されたレセプタクル・サイズをもつ担体の詳細を示す図である。
【発明を実施するための形態】
【００９４】
図面の図示は概略的なものである。異なる図面において、同様なまたは同一の要素は同じ参照符号を与えている。
【００９５】
図１は、レセプタクル２０内において電子コンポーネント１（図２参照）を係合するよう適応されたばね板１１０の詳細を示す。レセプタクル２０は、互いに対角方向に向かい合っている第一の当接部３３７および第二の当接部３５７によって形成される。第一の当接部３３７は、互いに角度を付けられている、図示した実施例では約90°をはさむ、第一の当接要素３３６（または面）および第二の当接要素３３８（または面）を有する。第二の当接部３５７は第一の当接部３３７と同様の形をもつ。第二の当接部３５７は、図示した実施例では約90°をはさむ、第一の当接要素３５６（または面）および第二の当接要素３５８（または面）を有する。第一の当接部３３７は一体的に形成された第二の当接部材３６５から形成される。第二の当接部材３６５は、第一の調整孔３６６および第二の調整孔３６９から形成される操作可能な構造または調整ユニットを有する。第二の当接部材３６５は基本的にL字形であり、鏡映対称である。第一の当接要素３５６および第二の当接要素３５８は、電子コンポーネント１が第一の当接要素３５６および第二の当接要素３５８のそれぞれと二つの点で当接しうるよう、当接表面に延びる二つの弓状部の両方を示している。蛇行形の第二のばね要素３４２は第二の当接部材３６５およびばね板１１０のフレーム部分に結合する。
【００９６】
第二の当接部材３６５に向かい合わせに位置されている第一の当接部材３５５は同様の形である。第二の当接部材３６５と第一の当接部材３５５との間の主要な違いは、第一の当接部材３５５は、第一の当接部３３７をなす第一の当接要素３３６および第二の当接要素３３８との間の対称軸上に一つの調整孔３５９を有するのみであるということである。蛇行形の第一のばね要素３４１は第一の当接部材３５５およびばね板１１０のフレーム部分に結合する。
【００９７】
レセプタクル２０のサイズは、第二の当接部材３６５の第一の調整孔３６６および第二の調整孔３６９を第一の当接部３３７から対角方向に離れる方向に操作することによって拡大されうる。レセプタクル２０のサイズはまた、第一の当接部材３５５の調整孔３５９を第二の当接部３５７から離れるよう対角方向に操作することによって拡大されうる。操作可能な調整孔３６６、３６９、３５９を操作するためにピンまたはフックのようないかなる好適な操作構造が用いられてもよい。第一のばね要素３４１および／または第二のばね要素３４２の力を解放することによって、電子コンポーネントは第一の当接部３３７と第二の当接部３５７の間に係合されうる。操作可能な調整孔３６６、３６９および３５９は、第一の当接部３３７および第二の当接部３５７の一方を微調整するよう適応されてもよい。こうして、電子コンポーネントはさらなる処理のために微調整されうる。第二の当接部材３６５の第一の調整孔３６６および第二の調整孔３６９ならびに第一の当接部材の調整孔３５９は、電子コンポーネントのクランプを支持するために使用されてもよく、電子コンポーネントを微調整するために使用されてもよい。
【００９８】
図２は、本発明のある実施形態に基づくアセンブルされた担体１００を示している。
【００９９】
第一の側部５および第二の側部６をもつ電子コンポーネント１が見え、整列固定具１０によって位置決めされている。第二の当接部材３６５の第一の調整孔３６６および第二の調整孔３６９は、受け入れ板１３０を通じてアクセス可能である。同様に、第一の当接部材３５５の調整孔３５９は受け入れ板１３０のアクセス孔を通じてアクセス可能である。
【０１００】
図３は、図２でアセンブルされて示された担体１００の分解組立図である。担体１００は、受け入れ板１３０、ばね板１１０およびベース支持板１２０から形成される。電子コンポーネント１は、受け入れ板１３０の受け入れ開口１３５を通じて受け入れられうる。電子コンポーネント１は整列固定具１０のレセプタクル２０（図１に示す）に受け入れられうる。受け入れ板１３０の調整アクセス孔４５９およびベース支持板１２０の調整アクセス孔５５９は、それぞれの整列固定具１０に基づく第一の当接部材３５５（図１に示す）の調整孔３５９に整列されるところにあり、調整孔３５９の動きを許容する。というのも、調整アクセス孔５５９はより広い直径を有するからである。同じことが、受け入れ板１３０の第一の調整アクセス孔４６６および第二の調整アクセス孔４６９ならびにベース支持板１２０の第一の調整アクセス孔５６６および第二の調整アクセス孔５６９についても成り立ち、各調整アクセス孔はそれぞれの調整孔より広い直径をもち、図１に示すばね板１１０の対応する第一の調整孔３６６および第二の調整孔３６９と整列されている。
【０１０１】
図４は、図１に描かれる実施形態と同様の実施形態に基づく（図２に示した）整列固定具の概略図である。第一の弾性ユニット４１１を介して柔軟にマウントされた曲がった〔角をなす〕第一の当接部４３１は、電子コンポーネント４０５の一つのコーナー領域に、電子コンポーネント４０５の第一の側部４０１および第二の側部４０２において係合する。第一の調整孔４２１および第二の調整孔４２２は、第一の当接部４３１の、よって電子コンポーネント４０５の直線位置および角度位置の位置決めを許容するよう適応されうる。平面図では、第一の調整孔４２１および第二の調整孔４２２は電子コンポーネント４０５の受け入れ領域の外にあり、よって第一の当接部４３１が電子コンポーネント４０５と当接している場合でもアクセス可能である。反対側のコーナー領域には、同じ構成が見出せる：角をなす第二の当接部４３２が電子コンポーネント４０５の第三の側部４０３および第四の側部４０４と当接する。第二の当接部４３２は第二の弾性ユニット４１２を介して柔軟にマウントされている。第三の調整孔４２３および第四の調整孔４２４は、第二の当接部４３２の、よって電子コンポーネント４０５の直線位置および角度位置の位置決めを許容するよう適応されうる。第一の弾性ユニット４１１および第二の弾性ユニット４１２のそれぞれは、電子コンポーネント４０５のそれぞれのコーナー領域に向けて対角方向に配置される。こうして、第一の当接部４３１および第二の当接部４３２は一緒になって浮動的に電子コンポーネント４０５に係合する。
【０１０２】
第一の当接部５３１は、第一の弾性ユニット５１１を介して柔軟にマウントされたまっすぐな当接要素であり、第一の当接部５３１の位置を調整するための第一の調整孔５２１を有する。第一の当接部５３１は電子コンポーネント５０５の第一の側部５０１と当接する。第一の当接部５３１と角度を付けて、電子コンポーネントの同じコーナー領域において、第二の当接部５３２は電子コンポーネント５０５の第二の側部５０２に当接する。第二の調整孔５２２は第二の当接部５３２に固定的に結合される。第一の当接部５３１および第二の当接部５３２は、調整孔５２１を介して第一の当接部５３１の位置を調整することによって、および第二の調整孔５２２を介して第二の当接部５３２の位置を調整することによって、電子コンポーネントの直線位置および角度位置の位置決めを許容しうる。第一の弾性ユニット５１１および第二の弾性ユニット５１２は、互いに角度をもって配置されてもよい。それにより、第一の弾性ユニット５１１が第一の当接部５３１および電子コンポーネント５０５の第一の側部５０１に垂直に配置されうる。また、第二の当接ユニット５１２は、第二の当接部５３２に垂直に、かつ電子コンポーネント５０５の第二の側部５０２に垂直に配置されうる。角をなす第三の当接部５３３が電子コンポーネント５０５の第三の側部５０３および第四の側部５０４と当接する。第三の当接部５３３は第三の弾性ユニット５１３を介して柔軟にマウントされている。第三の弾性ユニット５１３は、電子コンポーネント５０５の第三の側部５０３および第四の側部５０４によって形成される電子コンポーネント５０５の対応するコーナー領域に向かって対角方向に配置される。こうして、第一の当接部５３１および第二の当接部５３２は一緒になって、電子コンポーネント５０５に浮動的に係合する。第三の調整孔５２３および第四の調整孔５２４は第三の当接部５３３に固定的にマウントされる。電子コンポーネントは、第一の調整孔５２１、第二の調整孔５２２、第三の調整孔５２３および第四の調整孔５２４のうち少なくとも二つの角度をもって配置された調整孔を調整することによって直線的におよび角度的に調整されうる。「角度をもって配置された調整孔」とは、ここでは、調整孔５２１、５２２、５２３、５２４のそれぞれの対応する当接部５３１、５３２、５３３が電子コンポーネント５０５の角度をもった側部５０１、５０２、５０３、５０４に当接するということを表しうる。
【０１０３】
図６は、整列固定具６７０の概略図である。第一の弾性ユニット６１１は、第一の当接部６３１を介して電子コンポーネント６０５の第一の側部６０１に垂直な力をはたらかせる。第一の当接部６３１および対応する第一の側部６０１の位置は、第一の当接部６３１と固定的に結合されている調整孔６２１によって調整されうる。同じことは、電子コンポーネントの残りの第二の側部６０２、第三の側部６０３および第四の側部６０４についても当てはまり、それぞれ第二、第三および第四の弾性ユニット６１２、６１３、６１４、第二、第三および第四の当接部６３２、６３３、６３４ならびに第二、第三および第四の調整孔６２２、６２３、６２４によって係合され、調整可能であり、操作方向が90°単位で違うだけである。第三の弾性ユニット６１３は、弾性ユニット受け入れ部６９０に固定的に取り付けられているサスペンション６８０を有する別個の弾性部材であってもよい。インターロック６９１は、弾性ユニット受け入れ部６９０においてサスペンション６８０を固定してもよい。
【０１０４】
図７は、図４に基づく実施形態と同様の整列固定具７７０の概略図である。ここで、第一の弾性ユニット７１１および第二の弾性ユニット７１２は平面図からは、電子コンポーネント受け入れ領域の間の空間内に配列されて見られる。角をなす第一の当接部７３１は第一の弾性ユニット７１１に柔軟にマウントされてもよく、第一の当接部７３１は第一の当接部７３１に固定的に結合された第一の調整孔７２１を有していてもよい。第一の当接部７３１に対して、電子コンポーネント７０５の反対側のコーナー領域に位置される角をなす第二の当接部７３２は、第二の弾性ユニット７１２に柔軟にマウントされる。角をなす第二の当接部７３２は、第二の当接部７３２に固定的に結合された第二の調整孔７２２および第三の調整孔７２３を有する。電子コンポーネント７０５は、第一の調整孔、第二の調整孔および第三の調整孔のうちの少なくとも二つによって直線的および角度的に調整されうる。
【０１０５】
図８および図９は、担体１００の詳細の上から見た図を示している。ここで、担体１００は弾性ユニット板フレーム１１１に板接続弾性ユニット１５４を介して弾性的に結合されたスライド可能にマウントされたばね板１１０を有する。弾性ユニット板フレーム１１１はさらなるばね板１７０に固定的にマウントされている。よって、板接続弾性ユニット１５４を曲げることによって、ばね板１１０は、柔軟にマウントされた第二の当接部３５７を有するさらなるばね板１７０に対してスライドしうる。弾性ユニット４２を介して柔軟にマウントされた第二の当接部３５７は、部分的にレセプタクル２０の境界をなす。第一の弾性ユニット４１を介してばね板１１０にマウントされた第一の当接部３３７も、部分的にレセプタクル２０の境界をなす。第一の当接部３３７は第二の当接部３５７に対してスライドしうる。第一の当接部３３７および第二の当接部３５７によって形成されるレセプタクル２０のレセプタクル開口４８は、ばね板１１０をさらなるばね板１７０に対してスライドさせることによって拡大されうる。さらなるばね板１７０および弾性ユニット板フレーム１１１は固定孔２０８で固定されうるので、弾性ユニット操作可能孔２５８に操作力２１０を係合させることによって、ばね板１１０はさらなるばね板１７０および弾性ユニット板フレーム１１１に対してスライドさせることができる。担体１００を操作力２１０の力に抗して固定するために、反対向きの力２００が加えられてもよい。さらなるばね板１７０および弾性ユニット板フレーム１１１は、いくつかの固定点１５６において互いに固定的に結合されてもよい。
【０１０６】
引き続き図８を参照するに、さらなるばね板１７０の第一の板当接部１３４と、ばね板１１０の第二の板当接部９１４とが互いに当接する。レセプタクル開口４８のサイズを制御するようスペーサー２５７が適応されてもよい。第一の板当接部１３４および第二の板当接部９１４が互いに当接するとき、第一の当接部３３７と第二の当接部３５７とによって形成されるレセプタクルのクランプ・サイズに到達しうる。レセプタクル開口４８のサイズは、受け入れられるべき電子コンポーネント１（図３参照）より小さくてもよく、よって、電子コンポーネント１は第一の当接部３３７と第二の当接部３５７とによってクランプされうる。ばね板１１０と弾性ユニット板フレーム１１１との間の空間２５９はスペーサー２５７のサイズを有しうる。
【０１０７】
図９を参照するに、レセプタクル開口４８の受け入れ時のサイズが示されている。ばね板１１０と弾性ユニット板フレーム１１１との間の空間２５９が拡大されている。したがって、レセプタクル開口４８のサイズも、電子コンポーネント１（図３参照）がレセプタクル２０内に、すなわち第一の当接部３３７と第二の当接部３５７との間の空間内に受け入れられうるサイズに拡大されうる。
【０１０８】
「有する」の語は他の要素やステップを排除するものではなく、単数形の表現が複数を排除するものではないことを注意しておくべきである。異なる実施形態との関連で述べた要素が組み合わされてもよい。請求項に参照符号があったとしても、特許請求の範囲を限定するものと解釈してはならない。本発明の実装は、図面に示され上に記載された好ましい実施形態に限定されるものではなく、たとえ根本的に異なる実施形態の場合であっても、本発明に基づく示された解決策および原理を使用する多数の変形が可能である。
【符号の説明】
【０１０９】
１  電子コンポーネント
２  電子コンポーネントの接点側
５  電子コンポーネントの第一の側部（側辺部）
６  電子コンポーネントの第二の側部（側辺部）
１０  整列固定具／配置固定具／アライン・フィクスチュア
２０  レセプタクル
４１  弾性ユニット
４２  弾性ユニット
４８  レセプタクル開口
１００  担体／キャリア
１１０  ばね板／弾性ユニット板／第一の板〔プレート〕
１１１  弾性ユニット板フレーム
１２０  ベース支持板／第二の板〔プレート〕
１３０  受け入れ板／第三の板〔プレート〕
１３４  第一の板当接部
１３５  受け入れ開口
１５４  板接続弾性ユニット
１５６  固定点
１７０  さらなるばね板
２００  反対向きの力
２０８  固定孔
２１０  作動力／操作力
２５７  スペーサー
２５８  弾性ユニット作動可能孔／弾性ユニット操作可能孔
２５９  空間
３３６  第一の当接要素
３３７  第一の当接部
３３８  第二の当接要素
３４１  第一のばね要素
３４２  第二のばね要素
３５５  第一の当接部材
３５６  第一の当接要素
３５７  第二の当接部
３５８  第二の当接要素
３５９  一つの調整孔
３６５  第二の当接部材
３６６  第一の調整孔
３６９  第二の調整孔
４０１  電子コンポーネントの第一の側部
４０２  電子コンポーネントの第二の側部
４０３  電子コンポーネントの第三の側部
４０４  電子コンポーネントの第四の側部
４０５  電子コンポーネント
４１１  第一の弾性ユニット
４１２  第二の弾性ユニット
４２１  第一の調整孔
４２２  第二の調整孔
４２３  第三の調整孔
４２４  第四の調整孔
４３１  第一の当接部
４３２  第一の当接部
４５９  受け入れ板１３０の調整アクセス孔
４６６  受け入れ板１３０の第一の調整アクセス孔
４６９  受け入れ板１３０の第二の調整アクセス孔
５０１  電子コンポーネントの第一の側部
５０２  電子コンポーネントの第二の側部
５０３  電子コンポーネントの第三の側部
５０４  電子コンポーネントの第四の側部
５０５  電子コンポーネント
５１１  第一の弾性ユニット
５１２  第二の弾性ユニット
５１３  第三の弾性ユニット
５２１  第一の調整孔
５２２  第二の調整孔
５２３  第三の調整孔
５２４  第四の調整孔
５３１  まっすぐな第一の当接部
５３２  まっすぐな第二の当接部
５３３  角をなす第三の当接部
５５９  ベース支持板１２０の調整アクセス孔
５６６  ベース支持板１２０の第一の調整アクセス孔
５６９  ベース支持板１２０の第二の調整アクセス孔
６０１  電子コンポーネントの第一の側部
６０２  電子コンポーネントの第二の側部
６０３  電子コンポーネントの第三の側部
６０４  電子コンポーネントの第四の側部
６０５  電子コンポーネント
６１１  第一の弾性ユニット
６１２  第二の弾性ユニット
６１３  第三の弾性ユニット
６１４  第四の弾性ユニット
６２１  調整孔
６２２  第二の調整孔
６２３  第三の調整孔
６２４  第四の調整孔
６３１  第一の当接部
６３２  第二の当接部
６３３  第三の当接部
６３４  第四の当接部
６７０  整列固定具
６８０  サスペンション
６９０  弾性ユニット受け入れ部
６９１  インターロック
７０５  電子コンポーネント
７１１  第一の弾性ユニット
７１２  第二の弾性ユニット
７２１  第一の調整孔
７２２  第二の調整孔
７２３  第三の調整孔
７７０  整列固定具
７３１  第一の当接部
７３２  第二の当接部
９１４  第二の板当接部
【図１】
2011039059.tif 000003
【図２】
2011039059.tif 000004
【図３】
2011039059.tif 000005
【図４】
2011039059.tif 000006
【図５】
2011039059.tif 000007
【図６】
2011039059.tif 000008
【図７】
2011039059.tif 000009
【図８】
2011039059.tif 000010
【図９】
2011039059.tif 000011